(57)【要約】【課題】塗膜転写具を、被転写面上を連続走行させた場合にも、塗膜層が非連続的に転写されるようにする。【解決手段】基材テープ上に塗膜層を設けた転写用テープを、塗膜転写具に設けた転写ヘッド５の転写ローラ６を介して、被転写面に押圧することにより、前記塗膜層が被転写面に転写されるようにした塗膜転写具において、転写ヘッド５の左右のガイド側板９，１０の前端部の外側にガイドローラ１５を設けるとともに、前記左右のガイド側板間の前端部に前記転写ローラ６を設け、かつ前記ガイドローラ１５の支持軸１６を偏心位置に配設するか、または前記ガイドローラ１５を非円形として、前記ガイドローラ１５を被転写面に押圧して前記塗膜転写具を走行させることにより、前記転写ローラ６の位置を上下に揺動させて、前記転写ローラ６を被転写面と断続的に当接させることにより、前記転写用テープの塗膜層が非連続的に被転写面に転写されるようにする。【選択図】  図３
2016203503.tif 000002
【特許請求の範囲】
【請求項１】
基材テープ上に塗膜層を設けた転写用テープを、塗膜転写具に設けた転写ヘッドの転写部を介して、被転写面に押圧することにより、前記塗膜層が被転写面に転写されるようにした塗膜転写具において、前記転写用テープを巻き回した供給リールと、この供給リールから引き出されて、前記転写部に掛け渡され、塗膜層が転写された後の転写用テープを巻取る巻取リールと、前記供給リールと前記巻取リールを内部に収容するケースとを備え、前記転写ヘッドの前端部に転写部を設けるとともに、前記転写部の左右外側にガイドローラを設け、かつ前記ガイドローラの支持軸を偏心位置に配設するか、または前記ガイドローラを非円形として、前記ガイドローラを被転写面に押圧して前記塗膜転写具を走行させることにより、前記転写部の位置を上下に揺動させて、前記転写部が被転写面と断続的に当接するようにして、前記転写用テープの塗膜層が非連続的に被転写面に転写されるようにしたことを特徴とする塗膜転写具。
【請求項２】
転写ヘッドの転写部を、転写ヘッドの前端部に設けた転写ローラ、またはヘラ状転写部とした請求項１に記載の塗膜転写具。
【請求項３】
基材テープ上に塗膜層を設けた転写用テープを、塗膜転写具に設けた転写ヘッドの転写部を介して、被転写面に押圧することにより、前記塗膜層が被転写面に転写されるようにした塗膜転写具において、前記転写用テープを巻き回した供給リールと、この供給リールから引き出されて、前記転写部に掛け渡され、塗膜層が転写された後の転写用テープを巻取る巻取リールと、前記供給リールと前記巻取リールを内部に収容するケースとを備え、前記転写ヘッドの前端部に転写部を設けるとともに、前記転写部の左右外側にガイドローラを設け、かつ前記転写ローラの支持軸が前記ガイドローラの支持軸と一体的に回転するようにするとともに、前記転写ローラの支持軸を、前記ガイドローラの支持軸に対して、偏心位置に配設して、前記ガイドローラを被転写面に押圧して前記塗膜転写具を走行させることにより、前記転写ローラが被転写面と断続的に当接するようにして、前記転写用テープの塗膜層が非連続的に被転写面に転写されるようにしたことを特徴とする塗膜転写具。
【請求項４】
転写ローラを、ガイドローラに対して相対的に回転可能に設けた請求項２または3に記載の塗膜転写具。
【請求項５】
転写ヘッドが、左右のガイド側板を有するものとし、前記左右のガイド側板間の前端部に転写部を設けるとともに、前記左右のガイド側板の前端部の外側にガイドローラを設けた請求項１〜４のいずれかに記載の塗膜転写具。
【請求項６】
転写ヘッドを、供給リールと巻取リールを内部に収容したケースの前端開口部から外部に臨ませたものとした請求項１〜５のいずれかに記載の塗膜転写具。
【発明の詳細な説明】
【技術分野】
【０００１】
本発明は、塗膜転写具に関し、特に被転写面に転写される塗膜層が粘着塗膜層または螢光塗膜層である場合に有用に適用される塗膜転写具に関する。
【背景技術】
【０００２】
塗膜転写具は、塗膜層が修正用塗膜層、粘着塗膜層、螢光塗膜層等である塗膜転写具が広く使用されている。しかし、従来一般の塗膜転写具は、塗膜層を連続して被転写面に転写するものである。
【０００３】
しかし、粘着塗膜層の場合、たとえばノートにプリントを貼るようなときは、塗膜層を連続的に転写しなくても、実用上充分に接着できる場合が多い。また、螢光塗膜層の場合、デザイン上の理由から、所定間隔で非連続に転写した方が好ましいときもある。
【０００４】
このような場合に、連続転写式の塗膜転写具を用いて、転写したい部分にのみ非連続的に転写することもできるが、手数を要するばかりでなく、転写された塗膜層が所定間隔とならないという問題がある。
【０００５】
このため、たとえば特許文献１では、転写用テープとして、基材テープ上に、粘着塗膜層を予め所定間隔に配置したものを用いた塗膜転写具が開示され、また特許文献２では、被転写面の転写したい部分にスタンプ式で転写することができる塗膜転写具が開示されている。
【０００６】
しかし、特許文献１に記載されている塗膜転写具では、転写用テープの製造に工夫を施す必要があるばかりでなく、基材テープが長くなり、無駄があるという問題がある。
【０００７】
また、特許文献２に記載されている塗膜転写具では、数回に分けて転写しなければならず、手数を要するという問題がある。
【先行技術文献】
【特許文献】
【０００８】
【特許文献１】実開平０１−１５６１６３号公報
【特許文献２】特開２０１０−８３１０２号公報
【発明の概要】
【発明が解決しようとする課題】
【０００９】
本発明は、前記の現状に鑑み、基材テープ上に塗膜層を連続して設けた転写用テープを備える塗膜転写具を、被転写面上に連続して押圧した状態で走行させても、被転写面上に塗膜層を非連続的に転写することができる塗膜転写具を提供することを目的とする。
【課題を解決するための手段】
【００１０】
本発明によると、前記課題は、次のような手段によって解決される。
（１）基材テープ上に塗膜層を設けた転写用テープを、塗膜転写具に設けた転写ヘッドの転写部を介して、被転写面に押圧することにより、前記塗膜層が被転写面に転写されるようにした塗膜転写具において、前記転写用テープを巻き回した供給リールと、この供給リールから引き出されて、前記転写部に掛け渡され、塗膜層が転写された後の転写用テープを巻取る巻取リールと、前記供給リールと前記巻取リールを内部に収容するケースとを備え、前記転写ヘッドの前端部に転写部を設けるとともに、前記転写部の左右外側にガイドローラを設け、かつ前記ガイドローラの支持軸を偏心位置に配設するか、または前記ガイドローラを非円形として、前記ガイドローラを被転写面に押圧して前記塗膜転写具を走行させることにより、前記転写部の位置を上下に揺動させて、前記転写部が被転写面と断続的に当接するようにして、前記転写用テープの塗膜層が非連続的に被転写面に転写されるようにしたことを特徴とする塗膜転写具
とする。
このような構成とすることにより、基材テープ上に塗膜層を連続して設けた転写用テープを備える塗膜転写具を、被転写面上に連続して押圧した状態で走行させても、被転写面上に塗膜層を非連続的に転写することができる。
【００１１】
（２）前記（１）項において、転写ヘッドの転写部を、転写ヘッドの前端部に設けた転写ローラ、またはヘラ状転写部としたものとする。
このような構成とすることにより、転写ヘッドの転写部を容易に構成することができる。
【００１２】
（３）基材テープ上に塗膜層を設けた転写用テープを、塗膜転写具に設けた転写ヘッドの転写部を介して、被転写面に押圧することにより、前記塗膜層が被転写面に転写されるようにした塗膜転写具において、前記転写用テープを巻き回した供給リールと、この供給リールから引き出されて、前記転写部に掛け渡され、塗膜層が転写された後の転写用テープを巻取る巻取リールと、前記供給リールと前記巻取リールを内部に収容するケースとを備え、前記転写ヘッドの前端部に転写部を設けるとともに、前記転写部の左右外側にガイドローラを設け、かつ前記転写ローラの支持軸が前記ガイドローラの支持軸と一体的に回転するようにするとともに、前記転写ローラの支持軸を、前記ガイドローラの支持軸に対して、偏心位置に配設して、前記ガイドローラを被転写面に押圧して前記塗膜転写具を走行させることにより、前記転写ローラが被転写面と断続的に当接するようにして、前記転写用テープの塗膜層が非連続的に被転写面に転写されるようにしたことを特徴とする塗膜転写具とする。
このような構成とすることにより、塗膜転写具を被転写面上に連続して押圧した状態で走行させる際に、転写ヘッドの前端部を上下に揺動させることなく走行させて、被転写面上に塗膜層を非連続的に転写することができる。
【００１３】
（４）前記（２）項または（３）項において、転写ローラを、ガイドローラに対して相対的に回転可能に設けたものとする。
このような構成とすることにより、ガイドローラを被転写面に押圧して前記塗膜転写具を走行させた場合に、転写ローラは被転写面と当接している間だけ回転するようにすることができ、転写用テープの塗膜層を無駄なく有効に利用することができる。
【００１４】
（５）前記（１）項〜（４）項のいずれかにおいて、転写ヘッドが、左右のガイド側板を有するものとし、前記左右のガイド側板間の前端部に転写部を設けるとともに、前記左右のガイド側板の前端部の外側にガイドローラを設けたものとする。
このような構成とすることにより、転写用テープが左右のガイド側板により案内されるとともに、ガイドローラが左右のガイド側板の外側に設けられているため、塗膜転写具を、被転写面上を安定した状態で走行させることができ、かつガイドローラと転写ローラ間にガイド側板があるため、ガイドローラと転写ローラが干渉することがない。
【００１５】
（６）前記（１）項〜（５）項のいずれかにおいて、転写ヘッドを、供給リールと巻取リールを内部に収容したケースの前端開口部から外部に臨ませたものとする。
このような構成とすることにより、転写ヘッドの部分に故障が生じた場合には、転写ヘッドのみを交換すればよい。
【発明の効果】
【００１６】
本発明の塗膜転写具は、基材テープ上に塗膜層を連続して設けた転写テープを使用し、かつ塗膜転写具を、被転写面上を連続して押圧した状態で走行させても、塗膜層を所定間隔をもって非連続的に転写することができる。
【図面の簡単な説明】
【００１７】
【図１】本発明の第１実施例である塗膜転写具の斜視図である。
【図２】図１に示す塗膜転写具を、ケースを分解して内部を示す斜視図である。
【図３】図１に示す塗膜転写具における転写ヘッドを、ケースから取り外し、拡大して示す斜視図である。
【図４】図３に示す転写ヘッドの分解斜視図である。
【図５】図３におけるＡ〜Ａ線縦断面図に相当し、ガイドローラの支持軸が被転写面に最も近接し、転写ローラが、ガイドローラとともに被転写面に当接している状態を示す。
【図６】同じく、図３におけるＡ〜Ａ線縦断面図に相当し、ガイドローラの支持軸が被転写面から最も離れた場合で、転写ローラが被転写面に当接していない状態を示す。
【図７】本発明の第２実施例の塗膜転写具における転写ヘッドの拡大斜視図である。
【図８】図７に示す転写ヘッドの分解斜視図である。
【図９】図７におけるB〜B線縦断面図に相当し、ガイドローラの短径方向の端部周面が、被転写面に当接するとともに、転写ローラも被転写面に当接している状態を示す。
【図１０】おなじく、図７におけるB〜B線縦断面図に相当し、図９に示した状態からガイドローラが回転し、ガイドローラの長径方向の端部周面が、被転写面に当接し、転写ローラが被転写面から最も離間している状態を示す。
【図１１】本発明の第３実施例の塗膜転写具における転写ヘッドの拡大斜視図である。
【図１２】図１１に示す転写ヘッドの分解斜視図である。
【図１３】図１１におけるC〜C線縦断面図に相当し、転写ローラが、ガイドローラとともに被転写面に当接している状態を示す。
【図１４】おなじく、図１１におけるC〜C線縦断面図に相当し、ガイドローラが被転写面に当接し、転写ローラが被転写面に当接していない状態を示す。なお、図３、７、１１においては、転写用テープを図示していないが、図５，６，９，１０、１３，１４においては、転写用テープを追記して示した。
【発明を実施するための形態】
【００１８】
以下、本発明を、実施例を示す図面に基づいて説明する。
図１は、本発明の第１実施例の塗膜転写具の斜視図、図２は、図１に示す塗膜転写具を、ケースを分解して内部を示す斜視図である。
【００１９】
本発明の塗膜転写具１は、従来一般の塗膜転写具と同様に、基材テープ上に塗膜層を設けた転写用テープ２aを、ケース３の前記開口部４から外部に臨ませた転写ヘッド５に設けた転写部としての転写ローラ６を介して、被転写面に押圧することにより、前記塗膜層が被転写面に転写されるようになっている。
【００２０】
図２に示すように、ケース３は、一対のケース部材３ａ、３ｂからなり、ケース内には、転写用テープ２aを巻き回した供給リール７と、この供給リールから引き出されて、前記転写ローラ６に掛け渡され、塗膜層が転写された後の転写用テープ２aを巻取る巻取リール８が設けられている。
【００２１】
本発明の塗膜転写具１における供給リール７と巻取リール８間の連動機構は、一般の塗膜転写具におけるものと同様であり、本発明の要旨ではないので、その説明は省略する。
【００２２】
図３は、図１に示す塗膜転写具１における転写ヘッド５を、ケース３から取り外し、拡大して示す斜視図であり、図４は、図３に示す転写ヘッド５の分解斜視図である。
【００２３】
本発明における転写ヘッド５は、左右のガイド側板９、１０を有するヘッド本体１１を備える。この左右のガイド側板９、１０の後端部は、転写ヘッド５をケース３に取付ける取付部１２を有する後面板１３によって連結されている。左右のガイド側板９、１０および後面板１３によって形成された空間の上下方向のほぼ中央には、中板１４が設けられている。
【００２４】
左右のガイド側板９、１０の前端部には、ガイドローラ１５と転写ローラ６が支持軸１６を介して取り付けられる。
【００２５】
支持軸１６は、中央部１６ａと、この中央部１６ａの左右に設けられたガイドローラ取付部１６ｂ、１６ｃとよりなる。ガイドローラ取付部１６ｂ、１６ｃは、中央部１６ａに隣設する縮径部１６ｂと、この縮径部１６ｂの外側に隣設する拡径部１６ｃとよりなり、この拡径部１６ｃには、回り止め突起１６ｄが突設されている。
【００２６】
ガイドローラ１５には、このガイドローラ１５の中心より偏位した位置に、軸挿通孔１５ａが設けられている。この軸挿通孔１５ａの内周には、前記支持軸１６における回り止め突起１６ｄが嵌合する凹溝１５ｂが設けられている。
【００２７】
一方、左右のガイド側板９、１０の前端部には、前記支持軸１６を取付けるための切欠取付溝９ａ、１０ａが設けられている。
【００２８】
ガイドローラ１５、転写ローラ６を、ヘッド本体１１に取付けるには、次の手順による。
まず、支持軸１６を転写ローラ６の軸線位置に設けられた軸挿通孔６ａに挿通して、転写ローラ６を、支持軸１６の中央部１６ａに位置させる。
【００２９】
次いで、転写ローラ６を左右のガイド側板９、１０間に位置させて、支持軸１６の中央部１６ａの左右端を、ガイド側板９、１０の切欠取付溝９ａ、１０ａに嵌入する。引き続き、ガイド側板９、１０の左右外側から、支持軸１６のガイドローラ取付部１６ｂ、１６ｃに、ガイドローラ１５を取付ける。ガイドローラ１５を取付ける際には、ガイドローラ取付部１６ｃの回り止め突起１６ｄが、ガイドローラ１５の凹溝１５ｂに嵌合するようにして、ガイドローラ取付部１６ｂ、１６ｃをガイドローラ１５の軸挿通孔１５ａ内に嵌挿する。このような手順によって、ガイドローラ１５は、支持軸１６と一体的に回転し、また転写ローラ６は、支持軸１６に対して相対的に回転自在となる状態でヘッド本体１１に簡単に取付けることができる。また、ガイドローラ１５の軸挿通孔１５ａの内周面には、支持軸１６における縮径されたガイドローラ取付部１６ｂに対応する位置に図示を省略した縮径輪状部が設けられており、この縮径輪状部と拡径されたガイドローラ取付部１６ｃが干渉するため、ガイドローラ１５が支持軸１６から抜け落ちることはない。
【００３０】
また、左右のガイド側板９、１０の切欠取付溝９ａ、１０ａに回転可能に嵌入した支持軸１６は、切欠取付溝９ａ、１０ａの開口部が少し窄っているとともに、使用の際には、ガイドローラ１５を被転写面Ｓに押圧して塗膜転写具を走行させることから、支持軸１６は、切欠取付溝９ａ、１０ａの奥部に押し付けられる方向に応力を受けるため、支持軸１６が切欠取付溝９ａ、１０ａから外れることはない。
【００３１】
本実施例においては、前記したように、ガイドローラ１５の軸挿通孔１５ａが、ガイドローラ１５の中心より偏位した位置に設けられている。
【００３２】
このため、ガイドローラ１５を被転写面Ｓに押圧して塗膜転写具１を走行させることにより、転写部である転写ローラ６の位置は上下に揺動する。
【００３３】
図５、６は、図３におけるＡ〜Ａ線縦断面図に相当し、図５は、ガイドローラ１５の支持軸１６が被転写面Ｓに最も近接し、転写ローラ６が、ガイドローラ１５とともに被転写面Ｓに当接している状態を示し、図６は、ガイドローラ１５の支持軸１６が被転写面Ｓから最も離れた場合で、転写ローラ６が被転写面Ｓに当接していない状態を示す。
なお、本明細書において、転写ローラ（転写部）が被転写面Sに当接するとは、転写ローラ（転写部）が被転写面Sに直接、当接する場合のほか、転写用テープを介して、間接に被転写面Sに当接する場合も含めて指称する。
【００３４】
また、図３においては、転写用テープが図示されていないが、図５、６においては転写用テープ２aを追記して示した。
【００３５】
このように、本実施例では、ガイドローラ１５の支持軸１６が偏心位置に配設されているため、ガイドローラ１５を被転写面Ｓに押圧して塗膜転写具１を走行させることにより、転写ローラ６の位置が上下に揺動して被転写面Ｓと断続的に当接し、転写用テープ２aの塗膜層が所定間隔をもって非連続的に被転写面Ｓに転写される。
なお、転写ローラ６は、少なくともその表面が、たとえばシリコーンゴムやウレタンゴム等のエラストマー等の弾性材料から形成され、転写ローラ６が被転写面Ｓに当接する際には、転写ローラ６の当接部分が弾性により面状となって当接することにより、塗膜層が被転写面Ｓに良好に転写されるようになっている。
【００３６】
図７、８、９、１０は、本発明の第２実施例を示し、それぞれ図３、４、５、６に対応する図である。なお、第２実施例は、第１実施例と対比して、転写ヘッドの構造が相違するだけであるため、図１、２に対応する図は省略した。
【００３７】
本実施例の転写ヘッド１７におけるヘッド本体１８の構造は、第１実施例におけるヘッド本体１１と同一である。
また、支持軸１９、転写ローラ２０も、それぞれ第１実施例における支持軸１６、転写ローラ６と同一である。
【００３８】
ガイドローラ２１は、第１実施例においては側面視が円形であったが、本実施例においては、側面視が非円形、たとえば楕円状である。
【００３９】
ガイドローラ２１の軸挿通孔２１ａは、第１実施例の場合とは異なり、偏心した位置ではなく、楕円の長径と短径の交点位置に設けられている。
【００４０】
これらの転写ローラ２０、ガイドローラ２１、支持軸１９を、ヘッド本体１８におけるガイド側板２２、２３の前端部に、切欠取付溝２２ａ、２３ａを介して取付ける手順は、第１実施例の場合と同様であるので、その説明は省略する。
【００４１】
本実施例においては、ガイドローラ２１が楕円状であるため、このガイドローラ２１を被転写面Ｓに押圧して塗膜転写具を走行させることにより、転写部である転写ローラ２０の位置は上下に揺動する。
【００４２】
図９は、ガイドローラ２１の短径方向の端部周面が、被転写面Ｓに当接するとともに、転写ローラ２０も被転写面Ｓに当接している状態を示す。
【００４３】
図１０は、図９に示した状態からガイドローラ２１が回転し、ガイドローラ２１の長径方向の端部周面が、被転写面Ｓに当接し、転写ローラ２０が被転写面Ｓから最も離間している状態を示す。
【００４４】
このように、本実施例では、ガイドローラ２１が楕円状であるため、ガイドローラ２１を被転写面Ｓに押圧して塗膜転写具１を走行させることにより、転写ローラ２１の位置が上下に揺動して被転写面Ｓと断続的に当接し、転写用テープ２ｂの塗膜層が所定間隔をもって非連続的に被転写面Ｓに転写される。
【００４５】
なお、第１実施例、第２実施例において、転写ヘッドの転写部として、転写ローラ６、２０を示したが、これらに代えて、ヘラ状転写部を採用してもよい。
【００４６】
図１１、１２、１３、１４は、本発明の第３実施例を示し、それぞれ図３、４、５、６に対応する図である。なお、第３実施例は、第１実施例と対比して、転写ヘッドの構造が相違するだけであるため、図１、２に対応する図は省略した。
【００４７】
本実施例の転写ヘッド２４におけるヘッド本体２５の構造は、第１実施例におけるヘッド本体１１と同一である。
【００４８】
本実施例の特徴は、転写ローラ２６の支持軸２７を、ガイドローラ２８の支持軸２９に対して偏心位置に配設してあることである。
【００４９】
図１２に示すように、転写ローラ２６の支持軸２７は、ガイドローラ２８の支持軸２９と一体となっており、ガイドローラ２８の支持軸２９の左右方向の中央部に、転写ローラ２６の支持軸２７が設けられている。
【００５０】
転写ローラ２６の支持軸２７の軸線は、ガイドローラ２８の支持軸２９の軸線に対して偏心位置に配設されている。
【００５１】
これらの転写ローラ２６、ガイドローラ２８、支持軸２７、２９を、ヘッド本体２５におけるガイド側板３０、３１の前端部に、切欠取付溝３０ａ、３１ａを介して取付ける手順は、第１実施例の場合と同様であるので、その説明は省略する。
【００５２】
本実施例においては、転写ローラ２６の支持軸２７がガイドローラ２８の支持軸２９と一体的に回転するとともに、転写ローラ２６の支持軸２７をガイドローラ２８の支持軸２９に対して偏心位置に配設されているため、ガイドローラ２８を被転写面Ｓに押圧して塗膜転写具を走行させることにより、転写ローラ２６が被転写面Ｓと断続的に当接する。
【００５３】
図１３は、転写ローラ２６が、ガイドローラ２８とともに被転写面Ｓに当接している状態を示し、図１４は、ガイドローラ２８が被転写面Sに当接し、転写ローラ２６が被転写面Ｓに当接していない状態を示す。
【００５４】
このように、本実施例では、転写ローラ２６の支持軸２７がガイドローラ２８の支持軸２９と一体的に回転するとともに、転写ローラ２６の支持軸２７をガイドローラ２８の支持軸２９に対して偏心位置に配設されていることにより、転写ローラ２６が被転写面Ｓと断続的に当接し、転写用テープ２ｃの塗膜層が所定間隔をもって非連続的に被転写面Ｓに転写される。
【００５５】
以上、好ましい実施例について説明したが、本発明はこれらの実施例に限定されるものではない。
【００５６】
本発明は、たとえば、下記のような種々の実施形態が挙げられる。
（１）第１実施例〜第３実施例は、いずれも転写ローラがガイドローラに対して相対的に回転可能である形態であるが、その他、転写ローラがガイドローラと一体的に回転する形態であってもよい。
転写ローラがガイドローラに対して相対的に回転可能である形態では、ガイドローラを被転写面に押圧して前記塗膜転写具を走行させた場合に、転写ローラは被転写面と当接している間だけ回転するようにすることができ、転写用テープの塗膜層を無駄なく有効に利用することができる。
【００５７】
（２）第１実施例〜第３実施例は、転写ヘッドが左右のガイド側板を有するものとし、前記左右のガイド側板間の前端部に転写部を設けるとともに、前記左右のガイド側板の前端部の外側にガイドローラを設けた形態を示したが、たとえば、左右のガイド側板間において、左右方向の中央に転写部を設けるとともに、その左右外側にガイドローラを設けることもできる。また、さらに左右のガイド側板を特に設けない形態も挙げられる。
【００５８】
（３）転写ヘッドについて、第１実施例〜第３実施例は、供給リールと巻取リールを内部に収容したケース３の前端開口部４から外部に臨ませた転写ヘッドを示したが、たとえば左右のガイド側板が、ケース３を形成する左右のケース部材３ａ、３ｂの前端部をもって構成され、その前端部に切欠取付溝を設けて、この切欠取付溝と支持軸をもって転写ローラおよびガイドローラが取付けられた形態であってもよい。
【００５９】
（４）第２実施例では楕円状のガイドローラを示したが、その他、たとえば多角形状のガイドローラであってもよい。
【符号の説明】
【００６０】
１    塗膜転写具
２ａ、２ｂ、２ｃ  転写用テープ
３    ケース
３ａ、３ｂ  ケース部材
４    開口部
５    転写ヘッド
６    転写ローラ（転写部）
６ａ  軸挿通孔
７    供給リール
８    巻取リール
９、１０  ガイド側板
９ａ、１０ａ  切欠取付溝
１１    ヘッド本体
１２    取付部
１３    後面板
１４    中板
１５    ガイドローラ
１５ａ  軸挿通孔
１５ｂ  凹溝
１６    支持軸
１６ａ  中央部
１６ｂ  ガイドローラ取付部（縮径部）
１６ｃ  ガイドローラ取付部（拡径部）
１６ｄ  回り止め突起
１７    転写ヘッド
１８    ヘッド本体
１９    支持軸
２０    転写ローラ（転写部）
２１    ガイドローラ
２１ａ  軸挿通孔
２１ｂ  凹溝
２２、２３  ガイド側板
２２ａ、２３ａ  切欠取付溝
２４    転写ヘッド
２５    ヘッド本体
２６    転写ローラ（転写部）
２６ａ  軸挿通孔
２７    支持軸
２８    ガイドローラ
２８ａ  軸挿通孔
２８ｂ  回り止め突起
２９    支持軸
２９ａ  ガイドローラ取付部（縮径部）
２９ｂ  ガイドローラ取付部（拡径部）
２９ｃ  凹溝
３０、３１  ガイド側板
３０ａ、３１ａ  切欠取付溝
【図１】
2016203503.tif 000003
【図２】
2016203503.tif 000004
【図３】
2016203503.tif 000005
【図４】
2016203503.tif 000006
【図５】
2016203503.tif 000007
【図６】
2016203503.tif 000008
【図７】
2016203503.tif 000009
【図８】
2016203503.tif 000010
【図９】
2016203503.tif 000011
【図１０】
2016203503.tif 000012
【図１１】
2016203503.tif 000013
【図１２】
2016203503.tif 000014
【図１３】
2016203503.tif 000015
【図１４】
2016203503.tif 000016